(57)【要約】【課題】上り回線のデータ送信のための制御信号の量の増加を極力抑え、制御信号以外のデータ信号の送信可能量を確保することができる基地局装置および通信端末装置を提供すること。【解決手段】ＡＣＫ信号グルーピング部１０８が、所定の期間にＡＣＫ／ＮＡＣＫ信号判定部１０７から受け取ったすべてのＵＥ_ＩＤ情報を、ビット操作で足し込むことにより１つにまとめた信号を生成し、また、ＮＡＣＫ信号グルーピング部１１２が、所定の期間にＡＣＫ／ＮＡＣＫ信号判定部１０７から受け取ったすべてのＵＥ_ＩＤ情報を、ビット操作で足し込むことにより１つにまとめた信号を生成する。そして、ＡＣＫ信号付加部１１０及びＮＡＣＫ信号付加部１１４の各々は、ＡＣＫ信号グルーピング部１０８が生成した信号に対して、ＡＣＫの情報を付加した信号を生成し、また、ＮＡＣＫ信号グルーピング部１１２が生成した信号に対して、ＮＡＣＫの情報を付加した信号を生成する。【選択図】図１
2006211706.tif 000002
【特許請求の範囲】
【請求項１】
データ送信レートに関する制御情報を用いて通信端末装置のデータ送信を制御する基地局装置であって、
前記データ送信レートのアップ、ダウン、又はキープを示す前記制御情報ごとに、当該制御情報の送り先である通信端末装置をグループ化してなる識別情報を生成する情報生成手段と、
前記制御情報に前記識別情報を付加して制御信号を生成する信号生成手段と、
生成した前記制御信号を送信する送信手段と、
を具備する基地局装置。
【請求項２】
前記信号生成手段は、ビット演算処理を用いて前記識別情報を前記制御情報に付加することにより前記制御信号を生成する請求項１記載の基地局装置。
【請求項３】
請求項１記載の基地局装置から送信された前記制御信号を受信する受信手段と、
前記受信したデータにビット演算処理を行うことにより前記制御信号が自機宛てに送付されたか否かを判定する判定手段と、
前記判定の結果、前記制御信号が自機宛てである場合には、前記制御情報の制御内容に基づきデータ送信レートを設定する送信レート制御手段と、
を具備する通信端末装置。
【請求項４】
データ送信レートを示す制御情報に、前記データ送信レートのアップ、ダウン、又はキープを示す前記制御情報ごとに、当該制御情報の送り先である通信端末装置をグループ化してなる識別情報を付加した制御信号を受信する受信手段と、
前記受信した制御信号にビット演算処理を行うことにより前記制御信号が自機宛てに送付されたか否かを判定する判定手段と、
前記判定の結果、前記制御信号が自機宛てである場合には、前記制御情報の制御内容に基づきデータ送信レートを設定する送信レート設定手段と、
を具備する通信端末装置。
【発明の詳細な説明】
【技術分野】
【０００１】
本発明は、基地局装置および通信端末装置に関し、特に、上り回線のデータ送信のための基地局装置から通信端末装置に対する制御信号の量の増加を極力抑え、制御信号以外のデータ信号の送信可能量を確保することができる基地局装置および通信端末装置に関する。
【背景技術】
【０００２】
ＨＳＤＰＡ（High Speed Downlink Packet Access）の導入により、ＷＣＤＭＡ（Wideband Code Division Multiple Access）方式における下り回線の高速化が進められている。このＨＳＤＰＡを採用するＷＣＤＭＡ方式の無線通信システムにおいては、高品質伝送を実現するために、誤りを訂正する誤り制御技術が用いられる。この誤り制御技術の一つとしてハイブリッドＡＲＱ（Hybrid-Automatic Repeat reQuest）がある。
【０００３】
このハイブリッドＡＲＱは、送信側と受信側とを双方向の伝送路によって結び、まず送信側が情報ビットに誤り検出符号化を施して生成した符号語を含むパケットを受信側に送り、受信側において誤りの検出を行う。受信側は、受信データに誤りが検出されない場合には正しく受信した旨の受信確認信号（Positive Acknowledgment：以下、「ＡＣＫ信号」という）を送信側に返送し、受信データに誤りが検出された場合には再送要求信号（Negative Acknowledgment：以下、「ＮＡＣＫ信号」という）を送信側に返送する。送信側は、ＮＡＣＫ信号を受け取ると同一のパケットを再送する。送信側は、ＡＣＫ信号を受け取るまで同一のパケットの再送を繰り返す。
【０００４】
一方、下り回線の高速化に伴い、アップリンクエンハンスメント（Uplink Enhancement）と呼ばれる、上り回線を高速化するための様々な技術の検討が進められており、この上り回線においても、ハイブリッドＡＲＱが提案されている（非特許文献１参照）。
【０００５】
ＷＣＤＭＡ方式の上り回線のハイブリッドＡＲＱにおいても、上記説明どおりの手順が行われる。具体的には、通信端末装置が、基地局装置に対してパケットを送信し、基地局装置は、そのパケットを受信して誤り検出を行う。そして、受信データに誤りが検出されない場合には、基地局装置は、通信端末装置に対してＡＣＫ信号を返送し、また、受信データに誤りが検出された場合には、ＮＡＣＫ信号を返送する。
【０００６】
このとき基地局装置は、図１２に示すように、収容する複数の通信端末装置（ＵＥ１〜ＵＥｎ）に対して、各々異なるチャネル（Ａ−ＤＰＤＣＨ＿ＵＥ１〜ｎ）、すなわち、各々の通信端末装置で異なる拡散符号を用いた拡散をして、ＡＣＫ信号またはＮＡＣＫ信号を返送する。そして、通信端末装置は、ＮＡＣＫ信号を受け取ると同一のパケットを再送し、ＡＣＫ信号を受け取るまで同一のパケットの再送を繰り返すことで、高品質伝送を実現することができる。なお、基地局装置が、各々の通信端末装置で異なる周波数帯域を用いて、ＡＣＫ信号またはＮＡＣＫ信号を返送することもできる。
【非特許文献１】Uplink Enhancementに関する標準化文献  3GPP  RAN1  TR25.896
【発明の開示】
【発明が解決しようとする課題】
【０００７】
しかしながら、上記ＷＣＤＭＡ方式の上り回線のハイブリッドＡＲＱにおいては、基地局装置は、収容する複数の通信端末装置の各々に対して、各々異なるチャネルを用いてＡＣＫ信号およびＮＡＣＫ信号という制御信号を返送するので、制御信号の量が増加することにより、データ信号を送信できる量が減少してしまう問題がある。なお、この問題は、例えば、基地局装置が通信端末装置の送信レートを制御する際に使用する制御信号などについても当てはまる。
【０００８】
本発明は、かかる点に鑑みてなされたものであり、上り回線のデータ送信のための基地局装置から通信端末装置に対する制御信号の量の増加を極力抑え、制御信号以外のデータ信号の送信可能量を確保することができる基地局装置および通信端末装置を提供することを目的とする。
【課題を解決するための手段】
【０００９】
本発明の基地局装置は、データ送信レートに関する制御情報を用いて通信端末装置のデータ送信を制御する基地局装置であって、前記データ送信レートのアップ、ダウン、又はキープを示す前記制御情報ごとに、当該制御情報の送り先である通信端末装置をグループ化してなる識別情報を生成する情報生成手段と、前記制御情報に前記識別情報を付加して制御信号を生成する信号生成手段と、生成した前記制御信号を送信する送信手段と、を具備する構成を採る。
【００１０】
本発明の通信端末装置は、上記基地局装置から送信された前記制御信号を受信する受信手段と、前記受信したデータにビット演算処理を行うことにより前記制御信号が自機宛てに送付されたか否かを判定する判定手段と、前記判定の結果、前記制御信号が自機宛てである場合には、前記制御情報の制御内容に基づきデータ送信レートを設定する送信レート制御手段と、を具備する構成を採る。
【発明の効果】
【００１１】
本発明によれば、上り回線のデータ送信のための制御信号の量の増加を極力抑え、制御信号以外のデータ信号の送信可能量を確保することができる基地局装置および通信端末装置を提供することができる。
【発明を実施するための最良の形態】
【００１２】
以下、本発明の実施の形態について図面を参照して詳細に説明する。
【００１３】
（実施の形態１）
図１は、本実施の形態に係る通信システムの全体構成を示すブロック図である。図１に示すように、この通信システムでは、基地局装置１００と、その基地局装置１００が収容する通信端末装置２００−１〜３との間で無線通信を行うようにされている。なお、図１には、便宜上３つの通信端末装置が基地局装置１００に収容されている状態を示す。
【００１４】
図２は、この基地局装置１００の構成を示すブロック図である。基地局装置１００の各構成部分の作用について、図２を参照して説明する。
【００１５】
受信無線部１０２は、アンテナ１０１に受信された無線周波数の受信信号をベースバンドのディジタル信号に変換し、逆拡散部１０３に出力する。
【００１６】
逆拡散部１０３は、無線通信を行う通信端末装置の数だけ用意され、受信ベースバンド信号に対して逆拡散処理を行い、通信端末装置から送信されたパケット信号を取り出して復調部１０４に出力する。
【００１７】
復調部１０４は、無線通信を行う通信端末装置の数だけ用意され、逆拡散部１０３から出力されたパケット信号に対して復調処理を行い、復調信号をチャネルデコーディング部１０５に出力する。
【００１８】
チャネルデコーディング部１０５は、無線通信を行う通信端末装置の数だけ用意され、復調部１０４から出力された復調信号に対して誤り訂正復号等の復号処理を行い、受信パケットデータを取り出し、誤り検出部１０６に出力する。
【００１９】
誤り検出部１０６は、無線通信を行う通信端末装置の数だけ用意され、チャネルデコーディング部１０５から出力された受信パケットデータに対して誤り検出を行う。そして、誤りが検出されなかった場合には、誤り検出部１０６は、受信パケットデータを上位局に出力するとともに、正しく復調できた旨を示すＡＣＫ信号をＡＣＫ／ＮＡＣＫ信号判定部１０７に出力する。一方、誤りが検出された場合には、誤り検出部１０６は、正しく復調できなかった旨を示すＮＡＣＫ信号をＡＣＫ／ＮＡＣＫ信号判定部１０７に出力する。
【００２０】
ＡＣＫ／ＮＡＣＫ信号判定部１０７は、無線通信を行う通信端末装置の数だけ用意され、誤り検出部１０６からＡＣＫ信号を受け取った場合には、ＡＣＫ信号グルーピング部１０８に対して、誤り検出部１０６にて誤り検出されたパケットデータを送信した通信端末装置のＩＤ情報（ＵＥ_ＩＤ情報）を出力する。一方、誤り検出部１０６からＮＡＣＫ信号を受け取った場合には、ＮＡＣＫ信号グルーピング部１１２に対して、誤り検出部１０６にて誤り検出されたパケットデータを送信した通信端末装置のＩＤ情報（ＵＥ_ＩＤ情報）を出力する。なお、ＵＥ_ＩＤ情報は、一般的に、上位層の無線ネットワークコントローラ（ＲＮＣ）により、通信中の通信端末装置の各々に対して固有に割り当てられるものである。
【００２１】
ＡＣＫ信号グルーピング部１０８は、所定の期間にＡＣＫ／ＮＡＣＫ信号判定部１０７から受け取ったすべてのＵＥ_ＩＤ情報を、論理和（ＯＲ）又は和（＋）などのビット操作で足し込むことにより１つにまとめ、グループＵＥ_ＩＤ情報を生成して、コーディング部１０９に出力する。
【００２２】
コーディング部１０９は、グループＵＥ_ＩＤ情報に対して誤り訂正符号等の符号処理を行い、符号化処理によって得られた信号をＡＣＫ信号付加部１１０に出力する。
【００２３】
ＡＣＫ信号付加部１１０では、ＡＣＫ信号を示す予め決められたビット列（例えば、１１１１など）に対して、コーディング部１１０１が、誤り訂正符号等の符号処理を行う。そして、ＸＯＲ部１１０２は、コーディング部１１０１での符号処理によって得られた信号と、上記グループＵＥ_ＩＤ情報との排他的論理和（ＸＯＲ）を取り、これによって得られたＡＣＫグループＵＥ_ＩＤ情報を変調部１１１に出力する。
【００２４】
ＮＡＣＫ信号グルーピング部１１２は、所定の期間にＡＣＫ／ＮＡＣＫ信号判定部１０７から受け取ったすべてのＵＥ_ＩＤ情報を、論理和（ＯＲ）又は和（＋）などのビット操作で足し込むことにより１つにまとめ、グループＵＥ_ＩＤ情報を生成して、コーディング部１１３に出力する。
【００２５】
コーディング部１１３は、グループＵＥ_ＩＤ情報に対して誤り訂正符号等の符号処理を行い、符号化処理によって得られた信号をＮＡＣＫ信号付加部１１４に出力する。
【００２６】
ＮＡＣＫ信号付加部１１４では、ＮＡＣＫ信号を示す予め決められたビット列（例えば、００００など）に対して、コーディング部１１４１が、誤り訂正符号等の符号処理を行う。そして、ＸＯＲ部１１４２は、コーディング部１１４１での符号処理によって得られた信号と、上記グループＵＥ_ＩＤ情報との排他的論理和（ＸＯＲ）を取り、これによって得られたＮＡＣＫグループＵＥ_ＩＤ情報を変調部１１１に出力する。
【００２７】
変調部１１１は、ＡＣＫ信号付加部１１０からのＡＣＫグループＵＥ_ＩＤ情報およびＮＡＣＫ信号付加部１１４からのＮＡＣＫグループＵＥ_ＩＤ情報の各々に対して変調処理を行い、各々の変調信号を時間的にずらして拡散部１１５に出力する。
【００２８】
拡散部１１５は、変調部１１１の出力信号に対して拡散処理を行って送信無線部１１６に出力する。
【００２９】
送信無線部１１６は、拡散部１１５の出力信号を無線周波数にアップコンバートしてアンテナ１０１から無線送信する。
【００３０】
図３は、上記変調部１１１から出力される変調信号の出力状況のイメージ図である。図３に示すように、ＡＣＫ信号グルーピング部１０８およびＮＡＣＫ信号グルーピング部１１２に設定されている所定の期間ｔ１にて、１つにまとめられたグループＵＥ_ＩＤ情報をもとに生成されるＡＣＫグループＵＥ_ＩＤ情報_ｔ１およびＮＡＣＫグループＵＥ_ＩＤ情報_ｔ１は、変調部１１１により時間的にずらして拡散部１１５に出力されている。これは、所定の期間ｔ１の後にくる所定の期間ｔ２、ｔ３、…でも同様である。
【００３１】
このように、ＡＣＫグループＵＥ_ＩＤ情報_ｔＮおよびＮＡＣＫグループＵＥ_ＩＤ情報_ｔＮは、時間的にずれて出力されるので、ＡＣＫおよびＮＡＣＫの各々に対してチャネルを用意することは不要であり、１つのチャネルでＡＣＫおよびＮＡＣＫを送信することができる。
【００３２】
図４は、通信端末装置２００の構成を示すブロック図である。通信端末装置２００の各構成部分の作用について、図４を参照して説明する。
【００３３】
受信無線部２０２は、アンテナ２０１に受信された無線周波数の受信信号をベースバンドのディジタル信号に変換し、逆拡散部２０３に出力する。
【００３４】
逆拡散部２０３は、受信ベースバンド信号に対して逆拡散処理を行い、基地局装置１００から送信された信号を取り出して復調部２０４に出力する。
【００３５】
復調部２０４は、逆拡散部２０３の出力信号に対して復調処理を行い、復調信号をＵＥ_ＩＤ乗算部２０５に出力する。
【００３６】
ＵＥ_ＩＤ乗算部２０５では、自機のＵＥ_ＩＤ情報に対して、コーディング部２０５１が、基地局装置１００のコーディング部１０９およびコーディング部１１３にて行われた符号処理と同様の処理を行う。そして、乗算部２０５２は、コーディング部２０５１での符号処理によって得られた信号と、復調部２０４からの出力信号とを乗算し、これによって得られた信号をデコーディング部２０６に出力する。
【００３７】
デコーディング部２０６は、ＵＥ_ＩＤ乗算部２０５からの出力信号に対して、基地局装置１００のコーディング部１１０１およびコーディング部１１４１での符号処理に対応する復号処理を行い、これによって得られた信号をＡＣＫ／ＮＡＣＫ信号判定部２０７に出力する。
【００３８】
ＡＣＫ／ＮＡＣＫ信号判定部２０７は、デコーディング部２０６からの出力信号に基づいて、自機宛てのＡＣＫ信号又はＮＡＣＫ信号が送達されたか否かを判定する。具体的には、自機宛てのＡＣＫ信号又はＮＡＣＫ信号が送達された場合には、乗算部２０５２にて掛け合わされる２つの信号の相関がもっとも大きくなるので、デコーディング部２０６からの出力信号の電力のピークにおける電力の絶対値が所定のしきい値より大きい場合には、自機宛てのＡＣＫ信号又はＮＡＣＫ信号が送達されたと判定する。さらに、ＡＣＫ／ＮＡＣＫ信号判定部２０７は、デコーディング部２０６からの出力信号の電力のピークにおける電力値が、例えば、正の値であるときには自機宛てのＡＣＫ信号が送達されたと判定し、一方、負の値であるときには自機宛てのＮＡＣＫ信号が送達されたと判定する。そして、ＡＣＫ／ＮＡＣＫ信号判定部２０７は、判定結果をパケット送信制御部２０８に出力する。
【００３９】
パケット送信制御部２０８は、通信端末装置２００が上りのパケット通信を始めるときに、まずパケット送信命令信号をパケット生成部２０９に出力する。また、パケット送信制御部２０８は、ＡＣＫ／ＮＡＣＫ信号判定部２０７からの判定結果が、自機宛てのＡＣＫ信号が送達されたことを示す場合には、パケット生成部２０９に対して次パケット送信命令信号を出力する。一方、パケット送信制御部２０８は、ＡＣＫ／ＮＡＣＫ信号判定部２０７からの判定結果が、自機宛てのＮＡＣＫ信号が送達されたことを示す場合には、パケット生成部２０９に対してパケット再送命令信号を出力する。
【００４０】
パケット生成部２０９は、一連の送信データからパケットを生成する。そして、パケット生成部２０９は、パケット送信制御部２０８からパケット送信命令信号を受け取ったときには、最初のパケットを保持しつつ、そのパケットのコピーをチャネルコーディング部２１０に出力する。また、パケット生成部２０９は、パケット送信制御部２０８から次パケット送信命令信号を受け取ったときには、既にコピーを出力するとともに保持しておいたパケットを消去し、かつ、次のパケットを保持しつつ、そのコピーをチャネルコーディング部２１０に出力する。また、パケット生成部２０９は、パケット送信制御部２０８からパケット再送命令信号を受け取ったときには、保持しておいたパケットの保持を継続しつつ、そのコピーを再度チャネルコーディング部２１０に出力する。
【００４１】
チャネルコーディング部２１０は、パケット生成部２０９からのパケットデータに対して誤り訂正符号等の符号処理を行い、変調部２１１に出力する。
【００４２】
変調部２１１は、チャネルコーディング部２１０の出力信号に対して変調処理を行い、変調信号を拡散部２１２に出力する。
【００４３】
拡散部２１２は、変調部２１１の出力信号に対して拡散処理を行って送信無線部２１３に出力する。
【００４４】
送信無線部２１３は、拡散部２１２の出力信号を無線周波数にアップコンバートしてアンテナ２０１から無線送信する。
【００４５】
なお、上記説明においては、ＲＮＣから通信中の各通信端末装置に対して固有に割り当てられるＵＥ_ＩＤ情報をそのまま使用したが、図５に示すように、ＵＥ_ＩＤ情報を直交コードに変換したＵＥ_ＩＤ_ＯＲ情報の利用が可能である。この場合には、基地局装置および通信端末装置の双方で、相互に直交するコード（以下、「直交コード」という）のセットを持ち、ＵＥ_ＩＤ情報と直交コード、すなわちＵＥ_ＩＤ_ＯＲ情報とを結びつける共通のロジックを、基地局装置および通信端末装置の双方が持っている必要がある。
【００４６】
このように、本実施の形態によれば、基地局装置１００においては、ＡＣＫ信号グルーピング部１０８が、所定の期間にＡＣＫ／ＮＡＣＫ信号判定部１０７から受け取ったすべてのＵＥ_ＩＤ情報を、論理和（ＯＲ）又は和（＋）などのビット操作で足し込むことにより１つにまとめた信号を生成し、また、ＮＡＣＫ信号グルーピング部１１２が、所定の期間にＡＣＫ／ＮＡＣＫ信号判定部１０７から受け取ったすべてのＵＥ_ＩＤ情報を、論理和（ＯＲ）又は和（＋）などのビット操作で足し込むことにより１つにまとめた信号を生成する。そして、ＡＣＫ信号付加部１１０およびＮＡＣＫ信号付加部１１４の各々は、ＡＣＫ信号グルーピング部１０８が生成した信号に対して、ＡＣＫの情報を付加した信号を生成し、また、ＮＡＣＫ信号グルーピング部１１２が生成した信号に対して、ＮＡＣＫの情報を付加した信号を生成する。さらに、このＡＣＫ又はＮＡＣＫの情報を付加した信号を時間的にずらして通信端末装置２００に対して送信する。
【００４７】
換言すれば、基地局装置は、所定期間ごとに、制御信号（ＡＣＫ信号又はＮＡＣＫ信号）の送り先である通信端末装置２００を識別する端末識別情報（ＵＥ_ＩＤ情報）を制御内容（ＡＣＫ又はＮＡＣＫ）ごとに１つにまとめた信号（グループＵＥ_ＩＤ情報）を生成し、この１つにまとめた信号の各々に制御内容（ＡＣＫ又はＮＡＣＫ）を付加して制御内容を付加した信号（ＡＣＫグループＵＥ_ＩＤ情報又はＮＡＣＫグループＵＥ_ＩＤ情報）を生成し、生成した制御内容を付加した信号を、各々時間をずらして通信端末装置２００に対して送信する。
【００４８】
一方、通信端末装置２００においては、デコーディング部２０６は、ＵＥ_ＩＤ乗算部２０５からの出力信号に対して、基地局装置１００のコーディング部１１０１およびコーディング部１１４１での符号処理に対応する復号処理を行い、これによって得られた信号に基づいて、ＡＣＫ／ＮＡＣＫ信号判定部２０７は、自機宛てのＡＣＫ信号又はＮＡＣＫ信号が送達されたか否かを判定する。そして、この判定結果に基づいて、パケット送信制御部２０８は、基地局装置１００に対するパケット送信の送信制御を行う。
【００４９】
換言すれば、通信端末装置は、基地局装置から送信された信号の制御内容（ＡＣＫ又はＮＡＣＫ）、および、自機の端末識別情報（ＵＥ_ＩＤ情報）に基づいて基地局装置から送信された信号が自機宛てであるかを判定し、この判定の結果に基づいて、基地局装置に対する送信データの送信を制御する。
【００５０】
こうすることで、通信端末装置の各々に対して、制御信号を各々送信する必要がなくなるので、この制御信号を送信するためのチャネルを１つにすることができる。また、複数の通信端末装置に対する制御信号を１つにまとめるので、上り回線のハイブリッドＡＲＱにおける制御信号の量の増加を抑えることができるため、制御信号以外のデータ信号の送信可能量を確保することができる。
【００５１】
なお、上記説明では、基地局装置から通信端末装置に対する制御信号の送信方法について、制御信号を送信する通信端末装置を識別するための端末識別情報を、制御信号の内容ごとに１つの信号にまとめて、その信号に制御信号の内容を付加して送信するものとし、その制御信号をハイブリッドＡＲＱのＡＣＫおよびＮＡＣＫとして説明したが、これに限られるものではない。例えば、上記送信方法は、通信端末装置の送信レートなどを制御するためのスケジューリング情報の送信においても利用可能であり、この場合の通信システムにおける基地局装置および通信端末装置の各構成部分の作用について、図６および図７を参照して説明する。
【００５２】
図６は、この基地局装置３００の構成を示すブロック図である。
【００５３】
スケジューリング部３０１は、例えば基地局装置３００のセル内におけるＲｏＴ（Rise over Thermal noise）などに基づいて、そのセル内に収容する通信端末装置の送信レートを制御するためのスケジューリングを行う。具体的には、スケジューリング部３０１は、ある通信端末装置の送信レートをアップする場合には、アップ信号グルーピング部３０２に対して、その通信端末装置を識別するためのＵＥ_ＩＤ情報を出力する。同様に、スケジューリング部３０１は、ある通信端末装置のレートダウンをする場合には、そのＵＥ_ＩＤ情報をダウン信号グルーピング部３０３に出力する。同様に、スケジューリング部３０１は、ある通信端末装置のレートキープをする場合には、そのＵＥ_ＩＤ情報をキープ信号グルーピング部３０４に出力する。
【００５４】
アップ信号グルーピング部３０２は、所定の期間にスケジューリング部３０１から受け取ったすべてのＵＥ_ＩＤ情報を、論理和（ＯＲ）又は和（＋）などのビット操作で足し込むことにより１つにまとめ、グループＵＥ_ＩＤ情報を生成して、コーディング部３０５に出力する。
【００５５】
コーディング部３０５は、グループＵＥ_ＩＤ情報に対して誤り訂正符号等の符号処理を行い、符号化処理によって得られた信号をレートアップ信号付加部３０６に出力する。
【００５６】
レートアップ信号付加部３０６では、レートアップ信号を示す予め決められたビット列に対して、コーディング部３０６１が、誤り訂正符号等の符号処理を行う。そして、ＸＯＲ部３０６２は、コーディング部３０６１での符号処理によって得られた信号と、上記グループＵＥ_ＩＤ情報との排他的論理和（ＸＯＲ）を取り、これによって得られたレートアップグループＵＥ_ＩＤ情報を変調部３１１に出力する。
【００５７】
また、ダウン信号グルーピング部３０３は、所定の期間にスケジューリング部３０１から受け取ったすべてのＵＥ_ＩＤ情報を、論理和（ＯＲ）又は和（＋）などのビット操作で足し込むことにより１つにまとめ、グループＵＥ_ＩＤ情報を生成して、コーディング部３０７に出力する。
【００５８】
コーディング部３０７は、グループＵＥ_ＩＤ情報に対して誤り訂正符号等の符号処理を行い、符号化処理によって得られた信号をレートダウン信号付加部３０８に出力する。
【００５９】
レートダウン信号付加部３０８では、レートダウン信号を示す予め決められたビット列に対して、コーディング部３０８１が、誤り訂正符号等の符号処理を行う。そして、ＸＯＲ部３０８２は、コーディング部３０８１での符号処理によって得られた信号と、上記グループＵＥ_ＩＤ情報との排他的論理和（ＸＯＲ）を取り、これによって得られたレートダウングループＵＥ_ＩＤ情報を変調部３１１に出力する。
【００６０】
また、キープ信号グルーピング部３０４は、所定の期間にスケジューリング部３０１から受け取ったすべてのＵＥ_ＩＤ情報を、論理和（ＯＲ）又は和（＋）などのビット操作で足し込むことにより１つにまとめ、グループＵＥ_ＩＤ情報を生成して、コーディング部３０９に出力する。
【００６１】
コーディング部３０９は、グループＵＥ_ＩＤ情報に対して誤り訂正符号等の符号処理を行い、符号化処理によって得られた信号をレートキープ信号付加部３１０に出力する。
【００６２】
レートキープ信号付加部３１０では、レートキープ信号を示す予め決められたビット列に対して、コーディング部３１０１が、誤り訂正符号等の符号処理を行う。そして、ＸＯＲ部３１０２は、コーディング部３１０１での符号処理によって得られた信号と、上記グループＵＥ_ＩＤ情報との排他的論理和（ＸＯＲ）を取り、これによって得られたレートキープグループＵＥ_ＩＤ情報を変調部３１１に出力する。
【００６３】
変調部３１１は、レートアップ信号付加部３０６からのレートアップグループＵＥ_ＩＤ情報、レートダウン信号付加部３０８からのレートダウングループＵＥ_ＩＤ情報、およびレートキープ信号付加部３１０からのレートキープグループＵＥ_ＩＤ情報の各々に対して変調処理を行い、各々の変調信号を時間的にずらして拡散部３１２に出力する。
【００６４】
拡散部３１２は、変調部３１１の出力信号に対して拡散処理を行って送信無線部３１３に出力する。
【００６５】
送信無線部３１３は、拡散部３１２の出力信号を無線周波数にアップコンバートしてアンテナ３１４から無線送信する。
【００６６】
図７は、この通信端末装置４００の構成を示すブロック図である。
【００６７】
受信無線部４０２は、アンテナ４０１に受信された無線周波数の受信信号をベースバンドのディジタル信号に変換し、逆拡散部４０３に出力する。
【００６８】
逆拡散部４０３は、受信ベースバンド信号に対して逆拡散処理を行い、基地局装置３００から送信された信号を取り出して復調部４０４に出力する。
【００６９】
復調部４０４は、逆拡散部４０３の出力信号に対して復調処理を行い、復調信号をＵＥ_ＩＤ乗算部４０５に出力する。
【００７０】
ＵＥ_ＩＤ乗算部４０５では、自機のＵＥ_ＩＤ情報に対して、コーディング部４０５１が、基地局装置３００のコーディング部３０５、コーディング部３０７およびコーディング部３０９にて行われた符号処理と同様の処理を行う。そして、乗算部４０５２は、コーディング部４０５１での符号処理によって得られた信号と、復調部４０４からの出力信号とを乗算し、これによって得られた信号をデコーディング部４０６に出力する。
【００７１】
デコーディング部４０６は、ＵＥ_ＩＤ乗算部４０５からの出力信号に対して、基地局装置３００のコーディング部３０６１、コーディング部３０８１およびコーディング部３１０１での符号処理に対応する復号処理を行い、これによって得られた信号をスケジューリング情報判定部４０７に出力する。
【００７２】
スケジューリング情報判定部４０７は、デコーディング部４０６からの出力信号に基づいて、自機宛てのスケジューリング信号（この場合は、レートアップ、レートダウン、レートキープ）が送達されたか否かを判定する。具体的には、自機宛てのスケジューリング信号が送達された場合には、乗算部４０５２にて掛け合わされる２つの信号の相関がもっとも大きくなるので、デコーディング部４０６からの出力信号の電力のピークにおける電力の絶対値が所定のしきい値より大きい場合には、自機宛てのスケジューリング信号が送達されたと判定する。そして、スケジューリング情報判定部４０７は、さらに、デコーディング部４０６からの出力信号に対して、デコードを施すことにより、自機宛てのスケジューリング信号の内容がレートアップ、レートダウン、レートキープであるかを判定する。
【００７３】
制御部４０８は、この判定の結果に基づいて、基地局装置に対するデータ送信の送信レートを制御する。
【００７４】
以上のように、本実施の形態によれば、基地局装置は、所定期間ごとに、制御信号の送り先である通信端末装置を識別する端末識別情報を制御内容ごとに１つにまとめた信号を生成し、この１つにまとめた信号の各々に制御内容を付加して制御内容を付加した信号を生成し、生成した制御内容を付加した信号を、各々時間をずらして通信端末装置に対して送信する。一方、通信端末装置は、基地局装置から送信された信号の制御内容、および、自機の端末識別情報に基づいて基地局装置から送信された信号が自機宛てであるかを判定し、この判定の結果に基づいて、基地局装置に対するデータ送信を制御する。
【００７５】
こうすることで、通信端末装置の各々に対して、制御信号を各々送信する必要がなくなるので、この制御信号を送信するためのチャネルを１つにすることができる。また、複数の通信端末装置に対する制御信号を１つにまとめるので、上り回線のデータ送信のための制御信号の量の増加を抑えることができるため、制御信号以外のデータ信号の送信可能量を確保することができる。
【００７６】
（実施の形態２）
本実施の形態に係る通信システムは、その基本構成を実施の形態１の通信システムと同様とし、基地局装置６００と、その基地局装置６００が収容する通信端末装置７００とを備える。
【００７７】
図８は、この基地局装置６００の構成を示すブロック図である。なお、実施の形態１の基地局装置１００と同じ構成要素については同じ符号を付し、その説明を省略する。
【００７８】
誤り検出部６０１は、チャネルデコーディング部１０５から出力された受信パケットデータに対して誤り検出を行う。そして、誤りが検出されなかった場合には、誤り検出部６０１は、受信パケットデータを上位局に出力するとともに、正しく復調できた旨を示すＡＣＫ信号をＵＥ_ＩＤ付加部６０２に出力する。一方、誤りが検出された場合には、誤り検出部６０１は、正しく復調できなかった旨を示すＮＡＣＫ信号をＵＥ_ＩＤ付加部６０２に出力する。なお、ここでいうＡＣＫ信号は、例えば、１１１１などのようなＡＣＫ信号を示す予め決められたビット列であり、また、ＮＡＣＫ信号は、例えば、００００などのようなＮＡＣＫ信号を示す予め決められたビット列である。
【００７９】
ＵＥ_ＩＤ付加部６０２では、ＸＯＲ部６０２１は、誤り検出部６０１から出力されるＡＣＫ信号またはＮＡＣＫ信号と、自機のＩＤ情報（ＵＥ_ＩＤ情報）との排他的論理和（ＸＯＲ）を取り、これによって得られたＡＣＫ／ＵＥ_ＩＤ情報またはＮＡＣＫ／ＵＥ_ＩＤ情報をグルーピング部６０３に出力する。なお、ＸＯＲ部６０２１は、排他的論理和（ＸＯＲ）でなく、論理積（×）を取ってもよい。
【００８０】
グルーピング部６０３は、所定の期間にＵＥ_ＩＤ付加部６０２から受け取ったすべてのＡＣＫ／ＵＥ_ＩＤ情報およびＮＡＣＫ／ＵＥ_ＩＤ情報を、論理和（ＯＲ）又は和（＋）などのビット操作で足し込むことにより１つにまとめ、グループ／ＵＥ_ＩＤ情報を生成して、チャネルコーディング部６０４に出力する。
【００８１】
チャネルコーディング部６０４は、グルーピング部６０３からのグループ／ＵＥ_ＩＤ情報に対して誤り訂正符号等の符号処理を行い、符号処理によって得られた信号を変調部６０５に出力する。
【００８２】
変調部６０５は、チャネルコーディング部６０４からの出力信号に対して変調処理を行い、変調信号を拡散部１１５に出力する。
【００８３】
拡散部１１５は、変調部６０５の出力信号に対して拡散処理を行って送信無線部１１６に出力する。
【００８４】
図９は、通信端末装置７００の構成を示すブロック図である。なお、実施の形態１の通信端末装置２００と同じ構成要素については同じ符号を付し、その説明を省略する。
【００８５】
ＵＥ_ＩＤ乗算部７０１では、乗算部７０１１は、自機のＵＥ_ＩＤ情報と、復調部２０４からの出力信号とを乗算し、これによって得られた信号をＡＣＫ／ＮＡＣＫ信号判定部７０２に出力する。なお、乗算部７０１１は、排他的論理和（ＸＯＲ）を取っても、論理積（×）を取ってもよい。
【００８６】
ＡＣＫ／ＮＡＣＫ信号判定部７０２は、ＵＥ_ＩＤ乗算部７０１からの出力信号に基づいて、自機宛てのＡＣＫ信号又はＮＡＣＫ信号が送達されたか否かを判定する。具体的には、自機宛てのＡＣＫ信号又はＮＡＣＫ信号が送達された場合には、乗算部７０１１にて掛け合わされる２つの信号の相関がもっとも大きくなるので、ＵＥ_ＩＤ乗算部７０１からの出力信号の電力のピークにおける電力の絶対値が所定のしきい値より大きい場合には、自機宛てのＡＣＫ信号又はＮＡＣＫ信号が送達されたと判定する。さらに、ＡＣＫ／ＮＡＣＫ信号判定部７０２は、ＵＥ_ＩＤ乗算部７０１からの出力信号の電力のピークにおける電力値が、例えば、正の値であるときには自機宛てのＡＣＫ信号が送達されたと判定し、一方、負の値であるときには自機宛てのＮＡＣＫ信号が送達されたと判定する。そして、ＡＣＫ／ＮＡＣＫ信号判定部７０２は、判定結果をパケット送信制御部２０８に出力する。
【００８７】
このように、本実施の形態によれば、基地局装置６００においては、ＵＥ_ＩＤ付加部６０２が、誤り検出部６０１から出力されるＡＣＫ信号またはＮＡＣＫ信号と、自機のＩＤ情報（ＵＥ_ＩＤ情報）との排他的論理和（ＸＯＲ）を取り、これによって得られたＡＣＫ／ＵＥ_ＩＤ情報またはＮＡＣＫ／ＵＥ_ＩＤ情報を生成する。グルーピング部６０３は、所定の期間にＵＥ_ＩＤ付加部６０２から受け取ったすべてのＡＣＫ／ＵＥ_ＩＤ情報およびＮＡＣＫ／ＵＥ_ＩＤ情報を、論理和（ＯＲ）又は和（＋）などのビット操作で足し込むことにより１つにまとめた信号を生成する。そして、この１つにまとめた信号を通信端末装置７００に対して送信する。
【００８８】
換言すれば、基地局装置は、制御信号（ＡＣＫ信号又はＮＡＣＫ信号）の送り先である通信端末装置７００を識別する端末識別情報（ＵＥ_ＩＤ情報）に、制御内容（ＡＣＫ又はＮＡＣＫ）を付加した信号を生成し、所定期間ごとに、生成したこの信号を１つにまとめて信号を生成し、さらに、この信号を通信端末装置７００に対して送信する。
【００８９】
一方、通信端末装置７００においては、ＵＥ_ＩＤ乗算部７０１は、自機のＵＥ_ＩＤ情報と、復調部２０４からの出力信号とを乗算し、これによって得られた信号に基づいて、ＡＣＫ／ＮＡＣＫ信号判定部７０２は、自機宛てのＡＣＫ信号又はＮＡＣＫ信号が送達されたか否かを判定する。そして、この判定結果に基づいて、パケット送信制御部２０８は、基地局装置６００に対するパケット送信の送信制御を行う。
【００９０】
換言すれば、通信端末装置は、自機の端末識別情報（ＵＥ_ＩＤ情報）に基づいて、基地局装置から送信された信号の制御内容（ＡＣＫ又はＮＡＣＫ）、および、基地局装置から送信された信号が自機宛てであるかを判定し、この判定の結果に基づいて、基地局装置に対する送信データの送信を制御する。
【００９１】
こうすることで、通信端末装置の各々に対して、制御信号を各々送信する必要がなくなるので、この制御信号を送信するためのチャネルを１つにすることができる。また、複数の通信端末装置に対する制御信号を１つにまとめるので、上り回線のハイブリッドＡＲＱにおける制御信号の量の増加を抑えることができるため、制御信号以外のデータ信号の送信可能量を確保することができる。
【００９２】
なお、上記説明では、基地局装置から通信端末装置に対する制御信号の送信方法について、制御信号を送信する通信端末装置を識別するための端末識別情報に制御信号の内容を付加した信号を１つの信号にまとめて送信するものとし、その制御信号をハイブリッドＡＲＱのＡＣＫおよびＮＡＣＫとして説明したが、これに限られるものではない。例えば、上記送信方法は、通信端末装置の送信レートなどを制御するためのスケジューリング情報の送信においても利用可能であり、この場合の通信システムにおける基地局装置および通信端末装置の各構成部分の作用について、図１０および図１１を参照して説明する。
【００９３】
図１０は、この基地局装置８００の構成を示すブロック図である。
【００９４】
スケジューリング部８０１は、例えば基地局装置８００のセル内におけるＲｏＴ（Rise over Thermal noise）などに基づいて、そのセル内に収容する通信端末装置の送信レートを制御するためのスケジューリングを行う。具体的には、スケジューリング部８０１は、ある通信端末装置の送信レートをアップ（ダウン、キープ）する場合には、レートアップ（レートダウン、レートキープ）信号をＵＥ_ＩＤ付加部８０２に出力する。なお、ここでいうレートアップ信号は、例えば、１１などのようなレートアップ信号を示す予め決められたビット列であり、レートダウン信号は、例えば、００などのようなレートアップ信号を示す予め決められたビット列であり、また、レートキープ信号は、例えば、０１などのようなレートキープ信号を示す予め決められたビット列である。
【００９５】
ＵＥ_ＩＤ付加部８０２では、ＸＯＲ部８０２１は、スケジューリング部８０１から出力されるレートアップ信号、レートダウン信号、またはレートキープ信号と、自機のＩＤ情報（ＵＥ_ＩＤ情報）との排他的論理和（ＸＯＲ）を取り、これによって得られたレートアップ／ＵＥ_ＩＤ情報、レートダウン／ＵＥ_ＩＤ情報、またはレートキープ／ＵＥ_ＩＤ情報を、グルーピング部８０３に出力する。なお、ＸＯＲ部８０２１は、排他的論理和（ＸＯＲ）でなく、論理積（×）を取ってもよい。
【００９６】
グルーピング部８０３は、所定の期間にＵＥ_ＩＤ付加部８０２から受け取ったすべてのレートアップ／ＵＥ_ＩＤ情報、レートダウン／ＵＥ_ＩＤ情報、およびレートキープ／ＵＥ_ＩＤ情報を、論理和（ＯＲ）又は和（＋）などのビット操作で足し込むことにより１つにまとめ、グループ／ＵＥ_ＩＤ情報を生成して、チャネルコーディング部８０４に出力する。
【００９７】
チャネルコーディング部８０４は、グルーピング部８０３からのグループ／ＵＥ_ＩＤ情報に対して誤り訂正符号等の符号処理を行い、符号処理によって得られた信号を変調部８０５に出力する。
【００９８】
変調部８０５は、チャネルコーディング部８０４からの出力信号に対して変調処理を行い、変調信号を拡散部８０６に出力する。
【００９９】
拡散部８０６は、変調部８０５の出力信号に対して拡散処理を行って送信無線部８０７に出力する。
【０１００】
送信無線部８０７は、拡散部８０６の出力信号を無線周波数にアップコンバートしてアンテナ８０８から無線送信する。
【０１０１】
図１１は、通信端末装置９００の構成を示すブロック図である。
【０１０２】
受信無線部９０２は、アンテナ９０１に受信された無線周波数の受信信号をベースバンドのディジタル信号に変換し、逆拡散部９０３に出力する。
【０１０３】
逆拡散部９０３は、受信ベースバンド信号に対して逆拡散処理を行い、基地局装置８００から送信された信号を取り出して復調部９０４に出力する。
【０１０４】
復調部９０４は、逆拡散部９０３の出力信号に対して復調処理を行い、復調信号をＵＥ_ＩＤ乗算部９０５に出力する。
【０１０５】
ＵＥ_ＩＤ乗算部９０５では、乗算部９０５１は、自機のＵＥ_ＩＤ情報と、復調部９０４からの出力信号とを乗算し、これによって得られた信号をスケジューリング情報判定部９０６に出力する。なお、乗算部９０５１は、排他的論理和（ＸＯＲ）を取っても、論理積（×）を取ってもよい。
【０１０６】
スケジューリング情報判定部９０６は、ＵＥ_ＩＤ乗算部９０５からの出力信号に基づいて、自機宛てのスケジューリング信号（この場合は、レートアップ、レートダウン、レートキープ）が送達されたか否かを判定する。具体的には、自機宛てのスケジューリング信号が送達された場合には、乗算部９０５１にて掛け合わされる２つの信号の相関がもっとも大きくなるので、ＵＥ_ＩＤ乗算部９０５からの出力信号の電力のピークにおける電力の絶対値が所定のしきい値より大きい場合には、自機宛てのスケジューリング信号が送達されたと判定する。そして、スケジューリング情報判定部９０６は、さらに、ＵＥ_ＩＤ乗算部９０５からの出力信号に対して、デコードを施すことにより、自機宛てのスケジューリング信号の内容がレートアップ、レートダウン、レートキープであるかを判定する。
【０１０７】
制御部９０７は、この判定の結果に基づいて、基地局装置に対するデータ送信の送信レートを制御する。
【０１０８】
以上のように、本実施の形態によれば、基地局装置は、制御信号の送り先である通信端末装置を識別する端末識別情報に、制御内容を付加した信号を生成し、所定期間ごとに生成したこの信号を１つにまとめて信号を生成し、さらに、この信号を通信端末装置に対して送信する。一方、通信端末装置は、自機の端末識別情報に基づいて、基地局装置から送信された信号の制御内容、および、基地局装置から送信された信号が自機宛てであるかを判定し、この判定の結果に基づいて、基地局装置に対するデータ送信を制御する。
【０１０９】
こうすることで、通信端末装置の各々に対して、制御信号を各々送信する必要がなくなるので、この制御信号を送信するためのチャネルを１つにすることができる。また、複数の通信端末装置に対する制御信号を１つにまとめるので、上り回線のデータ送信のための制御信号の量の増加を抑えることができるため、制御信号以外のデータ信号の送信可能量を確保することができる。
【産業上の利用可能性】
【０１１０】
本発明は、上り回線のデータ送信のための基地局装置から通信端末装置に対する制御信号の量の増加を極力抑え、制御信号以外のデータ信号の送信可能量を確保することができる基地局装置および通信端末装置として有用である。
【図面の簡単な説明】
【０１１１】
【図１】本発明の実施の形態１の通信システムの全体構成を示すブロック図
【図２】実施の形態１の基地局装置の構成を示すブロック図
【図３】変調信号の出力状況のイメージ図
【図４】実施の形態１の通信端末装置の構成を示すブロック図
【図５】直交コードに変換する流れを示した図
【図６】実施の形態１の基地局装置の他の構成を示すブロック図
【図７】実施の形態１の通信端末装置の他の構成を示すブロック図
【図８】実施の形態２の基地局装置の構成を示すブロック図
【図９】実施の形態２の通信端末装置の構成を示すブロック図
【図１０】実施の形態２の基地局装置の他の構成を示すブロック図
【図１１】実施の形態２の通信端末装置の他の構成を示すブロック図
【図１２】従来の基地局装置が通信端末装置に向けて制御信号を送信している状況を説明するための図
【符号の説明】
【０１１２】
１００、３００、６００、８００  基地局装置
１０１、２０１、３１４、４０１、８０８、９０１  アンテナ
１０２、２０２、４０２、９０２  受信無線部
１０３、２０３、４０３、９０３  逆拡散部
１０４、２０４、４０４、９０４  復調部
１０５  チャネルデコーディング部
１０６、６０１  誤り検出部
１０７  ＡＣＫ／ＮＡＣＫ信号判定部
１０８  ＡＣＫ信号グルーピング部
１０９、１１３、３０５、３０７、３０９、１１０１、１１４１、２０５１、３０６１、３０８１、３１０１、４０５１  コーディング部
１１０  ＡＣＫ信号付加部
１１１、２１１、３１１、６０５、８０５  変調部
１１２  ＮＡＣＫ信号グルーピング部
１１４  ＮＡＣＫ信号付加部
１１５、２１２、３１２、８０６  拡散部
１１６、２１３、３１３、８０７  送信無線部
２００、４００、７００、９００  通信端末装置
２０５、４０５、７０１、９０５  ＵＥ_ＩＤ乗算部
２０６、４０６  デコーディング部
２０７、７０２  ＡＣＫ／ＮＡＣＫ信号判定部
２０８  パケット送信制御部
２０９  パケット生成部
２１０、６０４、８０４  チャネルコーディング部
３０１、８０１  スケジューリング部
３０２  アップ信号グルーピング部
３０３  ダウン信号グルーピング部
３０４  キープ信号グルーピング部
３０６  レートアップ信号付加部
３０８  レートダウン信号付加部
３１０  レートキープ信号付加部
４０７、９０６  スケジューリング情報判定部
４０８、９０７  制御部
６０２、８０２  ＵＥ_ＩＤ付加部
６０３、８０３  グルーピング部
１１０２、１１４２、３０６２、３０８２、３１０２、６０２１、８０２１  ＸＯＲ部
２０５２、４０５２、７０１１、９０５１  乗算部
【図１】
2006211706.tif 000003
【図２】
2006211706.tif 000004
【図３】
2006211706.tif 000005
【図４】
2006211706.tif 000006
【図５】
2006211706.tif 000007
【図６】
2006211706.tif 000008
【図７】
2006211706.tif 000009
【図８】
2006211706.tif 000010
【図９】
2006211706.tif 000011
【図１０】
2006211706.tif 000012
【図１１】
2006211706.tif 000013
【図１２】
2006211706.tif 000014
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
データ送信レートに関する制御情報を用いて複数の通信端末装置のデータ送信を制御する基地局装置であって、
自セルのトラフィック負荷に基づき各通信端末装置のデータ送信レートをアップ、ダウン、又はキープさせることを決定するスケジューリング手段と、
前記スケジューリング手段によりデータ送信レートをスケジューリングされた前記各通信端末装置の固有の端末識別情報を出力する出力手段と、
所定期間内に、前記出力手段より出力された前記端末識別情報を同一のデータ送信レート制御内容毎にまとめた送信先情報を生成する生成手段と、
前記データ送信レートのアップ、ダウン、又はキープを示す制御情報に前記送信先情報を付加して制御信号を生成する信号生成手段と、
生成した前記制御信号を送信する送信手段と、
を具備する基地局装置。
【請求項２】
前記信号生成手段は、ビット演算処理を用いて前記識別情報を前記制御情報に付加することにより前記制御信号を生成する請求項１記載の基地局装置。
【請求項３】
基地局装置と、前記基地局装置からの制御信号の内容に基づいて前記基地局装置に対して送信データを送信する複数の通信端末装置とを具備する通信システムであって、
前記基地局は、自セルのトラフィック負荷に基づき各通信端末装置のデータ送信レートをアップ、ダウン、又はキープさせることを決定するスケジューリング手段と、前記スケジューリング手段によりデータ送信レートをスケジューリングされた前記各通信端末装置の固有の端末識別情報を出力する出力手段と、所定期間内に、前記出力手段より出力された前記端末識別情報を同一のデータ送信レート制御内容毎にまとめた送信先情報を生成する生成手段と、前記データ送信レートのアップ、ダウン、又はキープを示す制御情報に前記送信先情報を付加して前記制御信号を生成する信号生成手段と、生成した前記制御信号を送信する送信手段と、を具備し、
前記通信端末装置は、前記制御信号を受信する受信手段と、前記受信したデータにビット演算処理を行うことにより前記制御信号が自機宛てに送付されたか否かを判定する判定手段と、前記判定の結果、前記制御信号が自機宛てである場合には、前記制御情報の制御内容に基づきデータ送信レートを設定する送信レート制御手段と、を具備する通信システム。
【手続補正３】
【補正対象書類名】明細書
【補正対象項目名】０００１
【補正方法】変更
【補正の内容】
【０００１】
本発明は、基地局装置および通信システムに関し、特に、上り回線のデータ送信のための基地局装置から通信端末装置に対する制御信号の量の増加を極力抑え、制御信号以外のデータ信号の送信可能量を確保することができる基地局装置および通信システムに関する。
【手続補正４】
【補正対象書類名】明細書
【補正対象項目名】０００８
【補正方法】変更
【補正の内容】
【０００８】
本発明は、かかる点に鑑みてなされたものであり、上り回線のデータ送信のための基地局装置から通信端末装置に対する制御信号の量の増加を極力抑え、制御信号以外のデータ信号の送信可能量を確保することができる基地局装置および通信システムを提供することを目的とする。
【手続補正５】
【補正対象書類名】明細書
【補正対象項目名】０００９
【補正方法】変更
【補正の内容】
【０００９】
本発明の基地局装置は、データ送信レートに関する制御情報を用いて複数の通信端末装置のデータ送信を制御する基地局装置であって、自セルのトラフィック負荷に基づき各通信端末装置のデータ送信レートをアップ、ダウン、又はキープさせることを決定するスケジューリング手段と、前記スケジューリング手段によりデータ送信レートをスケジューリングされた前記各通信端末装置の固有の端末識別情報を出力する出力手段と、所定期間内に、前記出力手段より出力された前記端末識別情報を同一のデータ送信レート制御内容毎にまとめた送信先情報を生成する生成手段と、前記データ送信レートのアップ、ダウン、又はキープを示す制御情報に前記送信先情報を付加して制御信号を生成する信号生成手段と、生成した前記制御信号を送信する送信手段と、を具備する構成を採る。
【手続補正６】
【補正対象書類名】明細書
【補正対象項目名】００１１
【補正方法】変更
【補正の内容】
【００１１】
本発明によれば、上り回線のデータ送信のための制御信号の量の増加を極力抑え、制御信号以外のデータ信号の送信可能量を確保することができる基地局装置および通信システムを提供することができる。
【手続補正７】
【補正対象書類名】明細書
【補正対象項目名】０１１０
【補正方法】変更
【補正の内容】
【０１１０】
本発明は、上り回線のデータ送信のための基地局装置から通信端末装置に対する制御信号の量の増加を極力抑え、制御信号以外のデータ信号の送信可能量を確保することができる基地局装置および通信システムとして有用である。